(57)【要約】【課題】本発明の課題は、バイザ上に落ちてくる雨水はできるだけ機体後方に向けて流れ落ちるようすることで、視界の妨げを防ぎ、運転に支障なきよう作業を能率的に行わしめることを目的とする。【解決手段】本発明は、田植機本体（１）の上方を覆うバイザ（１７）であって、前方側より後方側が低くなるよう後傾斜に構成する。【選択図】図３
2019010057.tif 000002
【特許請求の範囲】
【請求項１】
田植機本体（１）の上方を覆うバイザ（１７）であって、前方側より後方側が低くなるよう後傾斜に構成してあることを特徴とする乗用田植機。
【請求項２】
前記バイザ（１７）は、機体前部側の左右に配置する補助苗枠（１２，１２）の上方を除く構成としてあることを特徴とする請求項１記載の乗用田植機。
【請求項３】
前記バイザ（１７）は、左右の補助苗枠（１２，１２）を結ぶ連結ロッド（１３）から上方に突設する支柱（１８）と、機体両サイドの手摺部材（９）から上方に延出する支柱（１９）とに連結支持させてあることを特徴とする請求項１の乗用田植機。
【請求項４】
前記バイザ（１７）は、前端側より後端側が広くなるよう末広がりに構成し、前記バイザの前記後端部は機体横幅と同等または前記機体横幅よりも広くし、且つ、苗植付部（３）の横幅よりも広幅に構成してあることを特徴とする請求項１又は請求項２又は請求項３記載の乗用田植機。
【請求項５】
前記バイザ（１７）は、左右の外枠部材（２０Ｌ，２０Ｒ）と中間の中枠部材（２１）とからなり、前記中枠部材（２１）は前記外枠部材（２０Ｌ，２０Ｒ）に対し上方に高く構成してあることを特徴とする請求項１又は請求項２又は請求項３又は請求項４記載の乗用田植機。
【請求項６】
前記外枠部材（２０Ｌ，２０Ｒ）と前記中枠部材（２１）は、前後方向途中部を横方向の横枠部材（２３）で連結保持させてあることを特徴とする請求項５記載の乗用田植機。
【発明の詳細な説明】
【技術分野】
【０００１】
この発明は、日除け、雨除け用バイザを備えた田植機に関する。
【背景技術】
【０００２】
従来、運転席と施肥装置との間から支柱を突設し、その上端に運転席の上方を覆うパラソル型のバイザを装備したもの（特許文献１参照）が知られている。
【先行技術文献】
【特許文献】
【０００３】
【特許文献１】特開２０１７−６０７５号公報
【発明の概要】
【発明が解決しようとする課題】
【０００４】
上記のバイザは、パラソル型であるため、雨天の場合、前方に向けても流れ落ち、視界の妨げとなり、運転に支障をきたす問題があった。
【０００５】
本発明の課題は、バイザ上に落ちてくる雨水はできるだけ機体後方に向けて流れ落ちるようすることで、視界の妨げを防ぎ、運転に支障なきよう作業を能率的に行わしめることを目的とする。
【課題を解決するための手段】
【０００６】
この発明は、上記課題を解決すべく次のような技術的手段を講じた。
【０００７】
すなわち、請求項１記載の本発明は、田植機本体（１）の上方を覆うバイザ（１７）であって、前方側より後方側が低くなるよう後傾斜に構成してあることを特徴とする。
【０００８】
作業中、雨天の場合は、バイザ（１７）上に落ちてくる雨水が後方に向けて流れ落ち、前方に向けて流れ落ちないため、運転者の前方視界を妨げず、運転に支障をきたさない。
【０００９】
しかも、運転席だけでなく、本体の略全面上方を覆うため、圃場作業者も雨除けすることができ、苗補給が容易に行える。
【００１０】
請求項２記載の本発明は、請求項１において、前記バイザ（１７）は、機体前部側の左右に配置する補助苗枠（１２，１２）の上方を除く構成としてあることを特徴とする。
【００１１】
上記構成によると、補助苗枠（１２，１２）の上方がバイザ（１７）によって覆われていないため、補助苗の持ち運び作業が行い易く、作業がスムースに行える。
【００１２】
請求項３記載の本発明は、請求項１において、前記バイザ（１７）は、左右の補助苗枠（１２，１２）を結ぶ連結ロッド（１３）から上方に突設する支柱（１８）と、機体両サイドの手摺部材（９）から上方に延出する支柱（１９）とに連結支持させてあることを特徴とする。
【００１３】
左右の補助苗枠（１２）は連結ロッド（１３）によって強固に保持することができ、その連結ロッドから突設する支柱（１８）と、強固に保持された手摺部材（９）から突設する支柱（１９）とによってバイザ（１７）を支持するため、バイザの支持構成は強固であり、簡単な構成で支持することができる。
【００１４】
請求項４記載の本発明は、請求項１又は請求項２又は請求項３において、前記バイザ（１７）は、前端側より後端側が広くなるよう末広がりに構成し、前記バイザの前記後端部は機体横幅と同等または前記機体横幅よりも広くし、且つ、苗植付部（３）の横幅よりも広幅に構成してあることを特徴とする。
【００１５】
上記構成によると、苗植付部（３）に苗補給する補助作業者は、雨天の場合でもバイザの下でデッキ上を自由に行き来しながら苗植付部に苗補給することができ、雨に濡れることなく作業が容易に行える。
【００１６】
請求項５記載の本発明は、請求項１又は請求項２又は請求項３又は請求項４において、前記バイザ（１７）は、左右の外枠部材（２０Ｌ，２０Ｒ）と中間の中枠部材（２１）とからなり、前記中枠部材（２１）は前記外枠部材（２０Ｌ，２０Ｒ）に対し上方に高く構成してあることを特徴とする。
【００１７】
上記構成によると、中枠部材（２１）が外枠部材（２０Ｌ，２０Ｒ）より高くなっているため、この上に幌を張っても雨水が中央に溜まらず、後方外側方に向けて流すことができる。
【００１８】
請求項６記載の本発明は、請求項５において、前記外枠部材（２０Ｌ，２０Ｒ）と前記中枠部材（２１）は、前後方向途中部を横方向の横枠部材（２３）で連結保持させてあることを特徴とする。
【００１９】
上記構成によると、外枠部材（２０Ｌ，２０Ｒ）及び中枠部材（２１）が横枠部材（２３）によって連結保持されているため、バイザとしての強度が確保され、耐久性が維持される。
【発明の効果】
【００２０】
以上要するに、請求項１記載の本発明によれば、バイザが後傾斜に構成されているため、雨天の場合でも雨水が前方に流れ落ちることがなく、運転者の前方視界を妨げず、作業を支障なく能率的に行い得る。また、運転者だけでなく、補助作業者もバイザによって上方を覆うので、苗補給作業を容易に行うことができる。
【００２１】
請求項２記載の本発明によれば、請求項１記載の効果に加えて、左右の補助苗枠の上方がバイザによって覆われることなく開放されているため、補助苗の持ち運び作業が容易に行え、作業をスムースに行うことができる。
【００２２】
請求項３記載の本発明によれば、請求項１記載の効果に加えて、左右の補助苗枠は連結ロッドによって強固に保持されるばかりでなく、その連結ロッドから突設する支柱と、強固に保持された手摺部材から突設する支柱とによってバイザが支持されるため、バイザの支持構成は強固であり、簡単な構成で支持することができる。
【００２３】
請求項４記載の本発明によれば、請求項１又は請求項２又は請求項３記載の効果に加えて、苗植付部に苗補給する補助作業者にあっても、バイザによって覆われているため、雨に濡れることなく、苗植付部に苗補給することができ、作業が行い易くなり、作業を能率よく行うことができる。
【００２４】
請求項５記載の本発明によれば、請求項１又は請求項２又は請求項３又は請求項４記載の効果に加えて、中枠部材が左右の外枠部材より高くなっているため、幌を張っても雨水が中央に溜まらず、後方外側方に向けて流すことができる。
【００２５】
請求項６記載の本発明によれば、請求項５記載の効果に加えて、外枠部材及び中枠部材の三者が横方向の横枠部材によって連結保持されているため、バイザとしての強度が十分に確保され、耐久性を維持することができる。
【図面の簡単な説明】
【００２６】
【図１】バイザを備えた田植機の側面図
【図２】同上要部の平面図
【図３】バイザを備えた田植機の側面図
【図４】同上要部の平面図
【図５】バイザ用幌の要部の平面図
【図６】バイザ要部の背面図
【図７】同上要部の平面図
【図８】バイザ要部の側面図
【図９】センタマスコットを備えた田植機の側面図
【図１０】マスコット要部の側面図
【図１１】マスコット要部の側面図
【図１２】ＬＥＤライトを備えたマスコットレンズの斜視図
【図１３】同上マスコットレンズの別実施例の斜視図
【図１４】ＬＥＤ基板の構成例
【図１５】ＬＥＤ基板の構成例
【発明を実施するための形態】
【００２７】
この発明の実施例を図面に基づき説明する。
【００２８】
図１及び図２は、乗用型田植機本体１を示すものであり、走行車体２の後側に昇降リンク機構を介して６条植の苗植付部３が昇降可能に装着されている。
【００２９】
走行車体２は、駆動輪である左右一対の前輪４，４及び後輪５，５を備える四輪駆動タイプに構成されている。
【００３０】
走行車体の中央側には運転席６が設置され、その前側にステアリングハンドル７が設けられ、ハンドル操作により前輪４,４を操舵するようになっている。
【００３１】
苗植付部３は、苗を載せる苗載せタンク３ａ、苗を植え込む植込装置３ｂ、圃場を整地する整地フロート３ｃ等からなる。
【００３２】
運転者及び補助作業者は、両サイドの補助ステップ８から両サイドの手摺部材９を介してフロントデッキ１０上に乗車し、運転者は運転席６に着座し、補助作業者は１段高くしたリヤデッキ１１上で苗植付部３への苗補給を行うようになっている。
【００３３】
田植機本体１の前部側左右には、マット苗を載置する補助苗枠１２が装着支持され、また、左右の補助苗枠１２，１２を補強支持するため、それらの上端側を連結ロッド１３を介して連結保持している。
【００３４】
なお、１４は、センタマスコットで、作業時はマスコットランプが点滅するようになっている、
リヤデッキ１１の後側（苗植付部側）と両サイドには、補助作業者の安全ガード１６ａ，１６ｂが立設されている。
【００３５】
田植機本体１の上方を覆う、すなわち、運転席及びその周囲のデッキ上方を覆うレインバイザ（サンバイザ）１７は、図１に示すように側面視で前方側より後方側が低くなるよう後傾斜に構成されている。しかも、バイザの後端部は苗植付部３上に臨ませ、雨天の場合は、特に、雨水が苗載せタンク３ａ上に落下するようになっている。
【００３６】
また、前記バイザ１７は、左右の補助苗枠１２，１２の上方が被覆されることなく開放空間となるよう構成され、そして、平面視では、その分、前端側が狭くなっていて、後端側ほど広くなるよう末広がり状に構成される。また、バイザ１７の後端部は機体横幅と同等若しくはそれよりも広くし、且つ、苗植付部３の横幅よりも広幅に構成されるようになっている。
【００３７】
そして、バイザ１７の支持構成は、左右の補助苗枠１２，１２を結ぶ連結ロッド１３から上方に突設する支柱１８Ｌ，１８Ｒと、機体両サイドの手摺部材９，９から上方に突設する支柱１９Ｌ，１９Ｒとにバイザの外枠部材（丸パイプ）２０Ｌ，２０Ｒが連結支持されるようになっている。
【００３８】
また、バイザ１７は、左右の外枠部材２０Ｌ，２０Ｒと中間の中枠部材２１とからなり、そして、中枠部材２１は外枠部材２０Ｌ，２０Ｒに対し上方に高く構成され、幌を張っても雨水が中央に溜まらないようにしている。
【００３９】
前記外枠部材２０Ｌ，２０Ｒと中枠部材２１は、前端部は前横枠部材で一体的に連結されるが、前後方向途中部においても横方向の横枠部材２３で強固に連結保持されるようになっている。
【００４０】
このようにバイザの骨組みとなる各枠部材にビニールフイルム等の幌２４を張って覆うように構成されるが、この幌２４の張設構成は、幌の端部に設けられたハトメを有した穴部２５を外枠部材２０に挿入する手段と、幌取付用の樹脂製リング２６を、外枠部材２０側に設けられた丸棒をＬ字状に曲げて溶接した係止具２７に引っ掛けて締結する手段を備えている。
【００４１】
なお、図８に示すように、後傾斜となった幌の後方部に外向きに筒形状の風圧逃し弁２８を設けることで、バイザ内側からの風圧を逃し、強風による過負荷を防止することができる。
【００４２】
図９〜図１１に示す実施例について説明する。
【００４３】
センタマスコット１４のアーム１５が横軸支点Ｑを中心として前後に起伏可能に構成され、起立姿勢では、作業範囲が設定され、前方への倒伏姿勢では、マスコット先端が畦際に達すると、その位置が枕地における２行程間隔（１往復の植込み間隔）の旋回位置となるよう設定する。
【００４４】
図１０及び図１１に示すように、マスコット１４のアーム支点部にカムプレート３０を設け、カムプレート３０には、マスコットの起立状態での作業範囲を任意設定可能な複数の溝部３１と、マスコットの倒伏状態での位置を維持する溝部３２を設け、そして、該溝部３１，３２に係止ロックされるローラ（又は板バネ）３３にケーブル３４の一端を連結し、ケーブルの他端側は植付レバーに連結し、植付レバーを「上げ」側に操作すると、溝部のロックが外れるようにしている。また、カムプレートの側面には、戻しスプリング３５を設けることで、植付レバーを「上げ」側に操作すると、マスコットが倒伏状態にしていた場合でも、作業位置まで戻るように構成している。
【００４５】
次に、図１２〜図１５に示すマスコットレンズの実施例について説明する。
【００４６】
図１２において、前後方向に合わせたアクリル系の透明なレンズ部材３７ａ，３７ｂと、その内部に複数個のＬＥＤライト３８ａ，３８ｂの基板３９を設けたマスコットレンズを備えている。なお、前後のレンズ部材３７ａ，３７ｂは締付具４１によって両者の挿通孔にねじ込んで締付固定する。
【００４７】
ＬＥＤライト３８ａは、単色光とし、植付「入り」で緑色が点灯し、旋回制御中は緑色が点滅するようになっている。ＬＥＤライト３８ｂは、苗切れの場合は、緑色が点滅し、肥料切れの場合は赤色が点滅し、また、薬剤切れの場合は青色が点滅するようになっている。
【００４８】
マスコットライトの前方は、不透明な樹脂部材で構成されていた為、畦際の補助作業者から苗切れ等の状況が分かりづらかったが、オペレータ及び補助作業者からライトの点灯状況が良く分かるようになる。また、レンズ部材３７ａ，３７ｂの内面には複数の平面部を設けることで、ライト光が拡散して視認性が向上する。
【００４９】
又、前記単色光部、すなわち、ＬＥＤライト３８ａ前方部にライト光を遮断するライト遮断部材（ラベルや不透明部材）４０を設けることで、単色光をできるだけ前方の補助作業者に伝えないようにすることができる。
【００５０】
なお、基板の上方側に単色のＬＥＤライトを設けるのではなく、基板の後側に設けるようにすると、基板により上記単色光が前方に伝わらなくなる。
【００５１】
図１３において、板状のアクリル部材４２の平面部４３に凹面４４を放射状に設ける。この構成によると、マスコット点灯時の反射面となり、広範囲にＬＥＤ光を反射してオペレータ及び畦際での補助作業者に認識可能となる。
【００５２】
アクリル部材４２の下部に門型形状部４５の左右に固定用穴４６を設け、その門型形状部の間には、ＬＥＤライト３８ａ，３８ｂを有する基板３９を設ける構成としている。ＬＥＤの発光が門型部により伝わり、放射状にアクリル部に点灯される。
【００５３】
門型部を挟むホルダ部４７の下部が半円同士の形状となり、マスコットのパイプ部に挿入されるようになっている。ホルダ部を前後方向に合わせ、アクリル平面部が機体の前後方向に向くようにしている。
【００５４】
なお、半透明としたホルダ部からの点灯はオペレータのみが視認でき、アクリル部の点灯はオペレータと畦際の補助作業者が視認できる。
【００５５】
図１４に示す基板構成においては、基板３９上部のＬＥＤライト（マルチカラー）３８ａにより、苗切れ、肥料切れ等の点滅をアクリル部に放射状に伝え、基板前部のＬＥＤライト（単色）３８ｂにより旋回制御の点灯をホルダ部よりオペレータにのみ伝えるようにしている。
【００５６】
また、図１５においては、基板上部に設けた中央のＬＥＤライト（単色）３８Ｃにより旋回制御の点灯をするようにし、その左右に設けたＬＥＤライト（マルチカラー）３８Ｌ，３８Ｒを左右同一に点灯、点滅し、アクリル部の左右に点灯するようにしている。
【符号の説明】
【００５７】
１    田植機本体
３    苗植付部
６    運転席
９    手摺部材
１２    補助苗枠
１３    連結ロッド
１７    バイザ
１８    支柱
１９    支柱
２０    外枠部材
２１    中枠部材
２３    横枠部材
２４    幌
【図１】
2019010057.tif 000003
【図２】
2019010057.tif 000004
【図３】
2019010057.tif 000005
【図４】
2019010057.tif 000006
【図５】
2019010057.tif 000007
【図６】
2019010057.tif 000008
【図７】
2019010057.tif 000009
【図８】
2019010057.tif 000010
【図９】
2019010057.tif 000011
【図１０】
2019010057.tif 000012
【図１１】
2019010057.tif 000013
【図１２】
2019010057.tif 000014
【図１３】
2019010057.tif 000015
【図１４】
2019010057.tif 000016
【図１５】
2019010057.tif 000017